(57)【特許請求の範囲】
【請求項１】
底壁の左右両側から第１と第２の一対のカシメ片を立ち上げ、前記底壁に載置した電線に対し前記両カシメ片を巻き付けるようにしてカシメ付けることで前記電線を圧着するようになっているとともに、前記第１カシメ片と前記第２カシメ片が互いに前記電線の軸線方向にずれた千鳥配置とされているものにおいて、
前記底壁に載置された前記電線を係止させることで、カシメ付けの際に前記カシメ片から前記電線に対してその軸線と直交する方向に作用する押圧力に抗して前記電線の横ずれを規制可能な第１と第２の２つの規制部が前記底壁に設けられており、
前記第１と第２の２つの規制部は、
前記第１規制部が、軸線方向において前記第１カシメ片と同じ位置であって、左右方向における中央位置から前記第１カシメ片とは反対側へ外れた位置にあるとともに、前記第２規制部が、軸線方向において前記第２カシメ片と同じ位置であって、左右方向における中央位置から前記第２カシメ片とは反対側へ外れた位置にあることで、互いに軸線方向及び左右方向にずれた形態の千鳥状の配置とされており、
さらに、前記２つの規制部は、軸線方向に視た投影面上において左右方向に部分的に重なり合うように配置されていることを特徴とする端子金具。
【発明の詳細な説明】
【０００１】
【発明の属する技術分野】
本発明は、電線との圧着部を備えた端子金具に関するものである。
【０００２】
【従来の技術】
電線との圧着部を備えた端子金具としては、従来、米国特許第５，５９９，２１２号公報に開示されているものがある。これは、底壁の左右両側縁から一対のカシメ片を立ち上げることによって圧着部を形成し、底壁上に供給した電線に対しその両カシメ片を巻き付けるように変形させてカシメ付けるようになっている。また、一対のカシメ片は、互いに電線の軸線方向にずれた千鳥配置とされ、カシメ付けたときカシメ片同士が干渉しないようにすることで、線径の異なる複数種類の電線に対応できようになっている。
【０００３】
【発明が解決しようとする課題】
ところが、カシメ片を千鳥配置にして一カ所を１片のカシメ片で固着する場合には、一カ所において左右一対のカシメ片を突き合わせるようにカシメ付ける場合に比べると、固着力が低くならざるを得ない。
この対策としては、固着力の増強を図る手段として、カシメ片をカシメ付ける時の変形量を大きくして、圧着時の電線及びカシメ片の外径を小さくすることが考えられる。ところが、一カ所を左右いずれか一方のカシメ片によって固着する場合には、カシメ片から電線に対して横向き（電線の軸線と直交する方向）に作用する押圧力が、カシメの変形量の増大に伴って大きくなるので、電線が正規の圧着位置から側方へ押動されることになる。その結果、カシメ片の先端と、底壁におけるそのカシメ片とは反対側の縁部との間から電線の樹脂被覆がはみ出し、最悪の場合、その張り出した被覆が切断される虞がある。
【０００４】
本願発明は上記事情に鑑みて創案され、カシメ片側からの押圧力に起因する電線の横ズレを防止することを目的としている。
【０００５】
【課題を解決するための手段】
請求項１の発明は、底壁の左右両側から第１と第２の一対のカシメ片を立ち上げ、前記底壁に載置した電線に対し前記両カシメ片を巻き付けるようにしてカシメ付けることで前記電線を圧着するようになっているとともに、前記第１カシメ片と前記第２カシメ片が互いに前記電線の軸線方向にずれた千鳥配置とされているものにおいて、前記底壁に載置された前記電線を係止させることで、カシメ付けの際に前記カシメ片から前記電線に対してその軸線と直交する方向に作用する押圧力に抗して前記電線の横ずれを規制可能な第１と第２の２つの規制部が前記底壁に設けられており、前記第１と第２の２つの規制部は、前記第１規制部が、軸線方向において前記第１カシメ片と同じ位置であって、左右方向における中央位置から前記第１カシメ片とは反対側へ外れた位置にあるとともに、前記第２規制部が、軸線方向において前記第２カシメ片と同じ位置であって、左右方向における中央位置から前記第２カシメ片とは反対側へ外れた位置にあることで、互いに軸線方向及び左右方向にずれた形態の千鳥状の配置とされており、さらに、前記２つの規制部は、軸線方向に視た投影面上において左右方向に部分的に重なり合うように配置されている構成とした。
【０００６】
尚、具体的には、以下のような構成としてもよい。
（１）  請求項１の発明において、前記規制部が前記底壁に叩き出し加工を施すことによって形成されている構成。
【０００８】
【発明の作用及び効果】
［請求項１の発明］
カシメ付けの際に、カシメ片から電線に作用する横向きの押圧力が大きくても、規制部によって電線の横ずれが防止される。
また、規制部は千鳥配置されているので、電線はＳ字状に蛇行した状態で圧着される。これにより、電線に軸線方向の引張力が作用しても、軸方向の遊動が規制される。
【０００９】
【発明の実施の形態】
［実施形態１］
以下、本発明を具体化した実施形態１を図１乃至図５を参照して説明する。
本実施形態の端子金具Ｔは、所定の形状に打ち抜いた導電性の金属板材に対し曲げ加工及び叩き出し加工を施すことによって製造される。端子金具Ｔは、全体として、前後方向に細長く、底壁１１の全長に亘ってその左右両側縁から一対の側壁１２を立ち上げた形状をなす。端子金具Ｔの略前半部分は相手側の雄端子金具（図示せず）との接続のための嵌合部１３とされ、後端部には電線Ｗとの圧着部１６が形成され、この圧着部１６の前方には電線Ｗとの圧接部１５が形成されている。
【００１０】
嵌合部１３は、底壁１１と、左右両側壁１２と、この両側壁１２における立ち上がり端縁から内側へ互いに重なるように延出する天井壁１４とからなり、全体として前後方向に貫通する角筒状をなす。圧接部１５は、側壁１２に内側への叩き出し加工を施すことによってＶ字形に形成され、前後二対設けられている。この圧接部１５の間には、電線Ｗが軸線を前後方向（端子金具Ｔの長さ方向と平行な方向）に向けた姿勢で軸線と直交する方向に押し込まれる。この押込みに伴い、圧接部１５の屈曲した突出端１５Ａが電線Ｗの樹脂被覆Ｗａを切開するとともに、その切開部分に圧接部１５が食い込んで芯線Ｗｂと接触し、もって電線Ｗが圧接部１５に圧接される。尚、この圧接工程は、後述する圧着工程と同時又は圧着工程と相前後して行われる。
【００１１】
次に、圧着部１６について説明する。
圧着部１６は、平板状の底壁１１と、この底壁１１の左右両側縁から立ち上がる一対の側壁１２のうちの低くなった後端部１２Ｒと、各側壁１２の後端部１２Ｒの立ち上がり端縁から更に上方へ立ち上がる第１カシメ片１７Ａ及び第２カシメ片１７Ｂとから構成される。第１カシメ片１７Ａは、端子金具Ｔにおける右側に位置する側壁１２の後端部１２Ｒの前端部に配され、第２カシメ片１７Ｂは、左側に位置する側壁１２の後端部１２Ｒの後端部に配されている。即ち、右側に配された第１カシメ片１７Ａと左側に配された第２カシメ片１７Ｂとは、互いに電線Ｗの軸線方向（前後方向）にずれた位置関係とされた、いわゆる千鳥配置となっている。
【００１２】
かかる一対のカシメ片１７Ａ，１７Ｂによる圧着は次のようにして行われる。電線Ｗは、その軸線を前後方向に向けた姿勢でその軸線と直交する方向に両カシメ片１７Ａ，１７Ｂの間に供給されて底壁１１上に載置される。次いで、図５（Ｂ）に示すように、両カシメ片１７Ａ，１７Ｂが内側へ弧状へ変形させられつつ電線Ｗの外周に巻き付くようにしてカシメ付けられる。これにより、電線Ｗが圧着部１６に圧着されるのである。
【００１３】
さて、この圧着工程では、２つのカシメ片１７Ａ，１７Ｂが千鳥配置されていることから、電線Ｗに対してはその２カ所において各カシメ片１７Ａ，１７Ｂにより個別にカシメ付けが行われるのであるが、このように一カ所を左右いずれか一方のカシメ片１７Ａ又は１７Ｂだけで固着する場合には、カシメ片１７Ａ，１７Ｂから電線Ｗに対して横向き（電線Ｗの軸線と直交する方向であって、右側に位置する第１カシメ片１７Ａからは左向き、左側に位置する第２カシメ片１７Ｂからは右向き）に押圧力が作用する。
【００１４】
このとき、側壁１２の内面と電線Ｗとの間に隙間があると、カシメ片１７Ａ，１７Ｂからの押圧力によって電線Ｗが横ズレする虞がある。もし、電線Ｗが横ズレすると、カシメ片１７Ａ，１７Ｂの先端と、底壁１１におけるそのカシメ片１７Ａ，１７Ｂとは反対側の側壁１２の立ち上がり端縁との間から電線Ｗの樹脂被覆Ｗａがはみ出し、最悪の場合、そのはみ出した樹脂被覆Ｗａが切断される虞がある。
【００１５】
そこで、本実施形態では、底壁１１に、電線Ｗの横ズレを規制する手段として第１規制部１８Ａ及び第２規制部１８Ｂを設けている。規制部１８Ａ，１８Ｂは、底壁１１に叩き出し加工を施すことにより、底壁１１の上面側（電線Ｗが載置される側）へ略三角錐状に突出する形態に形成されている。前後方向（圧着状態の電線Ｗの軸線方向）において、第１規制部１８Ａは第１カシメ片１７Ａと同じ位置にあり、第２規制部１８Ｂは第２カシメ片１７Ｂと同じ位置にある。また、両規制部１８Ａ，１８Ｂは、いずれも、左右方向における中央位置からは左右いずれかへ外れた位置に配されている。即ち、右側に位置する第１カシメ片１７Ａと対応する第１規制部１８Ａは、左右方向中央から左側（第１カシメ片１７Ａとは反対側）へ外れており、左側に位置する第２カシメ片１７Ｂと対応する第２規制部１８Ｂは、左右方向中央から右側（第２カシメ片１７Ｂとは反対側）へ外れている。したがって、底壁１１に載置された電線Ｗは、その第１規制部１８Ａとの当接部分においては中央よりもやや右側（第１カシメ片１７Ａ側）にずれ、第２規制部１８Ｂとの当接部分においては中央よりもやや左側（第２カシメ片１７Ｂ側）にずれることになり、その結果、電線Ｗにおける両規制部１８Ａ，１８Ｂを通過する領域は、圧着状態では、図５（Ｂ）に示すように僅かにＳ字形に蛇行して載置されるようになる。
【００１６】
尚、各規制部１８Ａ，１８Ｂにおける３つの稜線のうち、１つの稜線１９Ｒは前後方向に延びているとともに、他の２つの稜線１９Ｆ，１９Ｆは、この前後方向の稜線１９Ｒの前端から左右両側に延びており、前後方向の稜線１９Ｒと反対側の前面は、前後方向（電線Ｗの軸線方向）に対して略直交する係止面１９Ｓとされている。
次に、本実施形態の作用を説明する。
電線Ｗを圧着部１６にカシメ付ける際に、カシメ片１７Ａ，１７Ｂから電線Ｗに対して横向き（電線Ｗの軸線と直交する向き）の押圧力が作用しても、その押圧力を付与するカシメ片１７Ａ，１７Ｂとは反対側において規制部１８Ａ，１８Ｂが電線Ｗを受け止めるようになるので、カシメ片１７Ａ，１７Ｂからの横向きの押圧力に抗して電線Ｗが横ズレせずに、初期の載置位置に保持される。
【００１７】
また、電線Ｗの軸線方向前側に位置する第１規制部１８Ａが、左右方向中央よりも左側にずれているのに対し、電線Ｗの軸線方向後側に位置する第２規制部１８Ｂが、左右方向中央よりも右側にずれていて、２つの規制部１８Ａ，１８Ｂが千鳥配置となっているので、圧着状態では、電線Ｗがその軸線を略Ｓ字形に蛇行させた状態で固着される。よって、電線Ｗに軸方向の引張力が作用しても、この２つの規制部１８Ａ，１８Ｂの引っ掛かりにより、電線Ｗの軸方向の遊動が規制される。
【００１８】
特に、規制部１８Ａ，１８Ｂが略三角錐形状をなすとともに、規制部１８Ａ，１８Ｂの前面が電線Ｗの軸線方向と略直交する係止面１９Ｓとなっているので、後方への引張力に対しては、この規制部１８Ａ，１８Ｂの頂点１９Ｔが電線Ｗの樹脂被覆Ｗａに食い込みつつ係止面１９Ｓが樹脂被覆Ｗａに引っ掛かるようになるので、引張力に抗する遊動規制の効果が高い。
［参考例１］
次に、本発明の参考例１を図６を参照して説明する。
【００１９】
本参考例は、規制部を上記実施形態１とは異なる構成としたものである。その他の構成については上記実施形態１と同じであるため、同じ構成については、同一符号を付し、構造、作用及び効果の説明は省略する。
本参考例１の規制部２１Ａ，２１Ｂは、側壁１２における下端部（底壁１１に近い高さ部分）に対し外側から内側に向かって叩き出し加工を施すことにより形成されている。尚、前後左右方向における第１カシメ片１７Ａと第２カシメ片１７Ｂの位置関係及びこの両カシメ片１７Ａ，１７Ｂと対応する第１規制部２１Ａと第２規制部２１Ｂの位置関係は、実施形態１と同じである。
【００２０】
［参考例２］
次に、本発明の参考例２を図７を参照して説明する。
本参考例は、規制部を上記実施形態１とは異なる構成としたものである。その他の構成については上記実施形態１と同じであるため、同じ構成については、同一符号を付し、構造、作用及び効果の説明は省略する。
本参考例２の規制部２２Ａ，２２Ｂは、底壁１１と、この底壁１１の側縁から立ち上がる側壁１２との境界部分に内側へ叩き出し加工を施すことによって形成されている。前後左右方向における第１カシメ片１７Ａと第２カシメ片１７Ｂの位置関係及びこの両カシメ片１７Ａ，１７Ｂと対応する第１規制部２２Ａと第２規制部２２Ｂの位置関係は、実施形態１と同じである。
【００２１】
［参考例３］
次に、本発明の参考例３を図８を参照して説明する。
本参考例は、規制部を上記実施形態１とは異なる構成としたものである。その他の構成については上記実施形態１と同じであるため、同じ構成については、同一符号を付し、構造、作用及び効果の説明は省略する。
本参考例３の規制部２３Ａ，２３Ｂは、底壁１１の側縁から立ち上がる側壁１２に切り起こし加工を施すことによって形成されている。規制部２３Ａ，２３Ｂは、正面側（電線Ｗの軸線方向と同じ方向）から視て方形をなし、側壁１２及び底壁１１に対して直交する向きとなっている。前後左右方向における第１カシメ片１７Ａと第２カシメ片１７Ｂの位置関係及びこの両カシメ片１７Ａ，１７Ｂと対応する第１規制部２３Ａと第２規制部２３Ｂの位置関係は、実施形態１と同じである。
【００２２】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では圧接部を備えた端子金具に適用した場合について説明したが、本発明は、圧接部を備えていない端子金具にも適用できる。
【００２３】
（２）上記実施形態では規制部が左右方向における中央から右又は左へずれた位置に設けられているが、本発明によれば、左右方向における中央位置に規制部を配置してもよい。
（３）上記実施形態では底壁の規制部を叩き出し加工によって形成したが、本発明によれば、底壁に切り起こし加工を施すことによって規制部を形成してもよい。
【図面の簡単な説明】
【図１】実施形態１の斜視図
【図２】平面図
【図３】側面図
【図４】底面図
【図５】（Ａ）は電線をカシメ付ける前の状態の横断面図
（Ｂ）は電線をカシメ付けた状態の横断面図
【図６】  参考例１を示し、（Ａ）は部分平面図、（Ｂ）は部分斜視図
【図７】  参考例２を示し、（Ａ）は部分平面図、（Ｂ）は部分斜視図
【図８】  参考例３を示し、（Ａ）は部分平面図、（Ｂ）は部分斜視図
【符号の説明】
Ｔ…端子金具
１１…底壁
１２…側壁
１７Ａ…第１カシメ片
１７Ｂ…第２カシメ片
１８Ａ…第１規制部
１８Ｂ…第２規制部
２１Ａ，２２Ａ，２３Ａ…第１規制部
２１Ｂ，２２Ｂ，２３Ｂ…第２規制部
【図１】
0004220657.tif 000002
【図２】
0004220657.tif 000003
【図３】
0004220657.tif 000004
【図４】
0004220657.tif 000005
【図５】
0004220657.tif 000006
【図６】
0004220657.tif 000007
【図７】
0004220657.tif 000008
【図８】
0004220657.tif 000009